【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
所定のホッピングシーケンスに従って搬送周波数を周波数ホッピングし、前記周波数ホッピングした搬送周波数を用いて無線通信を行う無線通信部と、
前記無線通信部にて行われる周波数ホッピングに送信用周波数を追従させて無線送信を行う無線送信部と、
前記無線通信部にて行われる周波数ホッピングに検波用周波数を追従させて無線受信を行う無線受信部と、
前記無線通信部における周波数ホッピングに関する情報を前記無線送信部および前記無線受信部の双方に有線にて供給する有線部とを有することを特徴とする無線通信端末。
【請求項２】
前記無線送信部は、
第１局発クロックを生成する第１局部発振器と、
前記有線にて供給された周波数ホッピングに関する情報に基づいて、前記第１局発クロックの周波数を制御する第１制御部と、
前記第１局発クロックをベースバンド信号に混合することにより、前記無線通信部にて行われる周波数ホッピングに送信用周波数を追従させる第１混合器とを備え、
前記無線受信部は、
第２局発クロックを生成する第２局部発振器と、
前記有線にて供給された周波数ホッピングに関する情報に基づいて、前記第２局発クロックの周波数を制御する第２制御部と、
前記第２局発クロックを受信信号に混合することにより、前記無線通信部にて行われる周波数ホッピングに検波用周波数を追従させる第２混合器と、
前記第２混合器にてダウンコンバートされた前記無線通信による干渉波を減衰させるノッチフィルタとを備えることを特徴とする請求項１記載の無線通信端末。
【請求項３】
前記無線送信部は、
局発クロックを生成する局部発振器と、
前記無線通信部におけるホッピング周波数の信号を前記局発クロックと混合することにより、前記無線通信部にて行われる周波数ホッピングに前記局発クロックを追従させる周波数変換器と、
前記周波数変換器にて周波数変換された信号をベースバンド信号に混合することにより、前記無線通信部にて行われる周波数ホッピングに送信用周波数を追従させる第１混合器とを備え、
前記無線受信部は、
前記周波数変換器にて周波数変換された信号を受信信号に混合することにより、前記無線通信部にて行われる周波数ホッピングに検波用周波数を追従させる第２混合器と、
前記第２混合器にてダウンコンバートされた前記無線通信による干渉波を減衰させるノッチフィルタとを備えることを特徴とする請求項１記載の無線通信端末。
【請求項４】
前記無線送信部は、
前記周波数変換器にて周波数変換された信号を分周する分周器と、
前記分周器にて分周された信号を元の周波数に変換する第１逓倍器とをさらに備え、
前記無線受信部は、
前記分周器にて分周された信号を元の周波数に変換する第２逓倍器をさらに備えることを特徴とする請求項３記載の無線通信端末。
【請求項５】
前記無線送信部は、
第１局発クロックを生成する第１局部発振器と、
前記無線通信部におけるホッピング周波数の信号を前記第１局発クロックと混合することにより、前記無線通信部にて行われる周波数ホッピングに前記第１局発クロックを追従させる第１周波数変換器と、
前記第１周波数変換器にて周波数変換された信号をベースバンド信号に混合することにより、前記無線通信部にて行われる周波数ホッピングに送信用周波数を追従させる第１混合器とを備え、
前記無線受信部は、
第２局発クロックを生成する第２局部発振器と、
前記無線通信部におけるホッピング周波数の信号を前記第２局発クロックと混合することにより、前記無線通信部にて行われる周波数ホッピングに前記第２局発クロックを追従させる第２周波数変換器と、
前記第２周波数変換器にて周波数変換された信号を受信信号に混合することにより、前記無線通信部にて行われる周波数ホッピングに検波用周波数を追従させる第２混合器と、
前記第２混合器にてダウンコンバートされた前記無線通信による干渉波を減衰させるノッチフィルタとを備えることを特徴とする請求項１記載の無線通信端末。
【請求項６】
第１筐体部と、
第２筐体部と、
前記第１筐体部と前記第２筐体部との間の位置関係を変えられるように前記第１筐体部と前記第２筐体部とを連結する連結部と、
前記第１筐体部または前記第２筐体部に搭載された外部無線通信用アンテナと、
前記第１筐体部に搭載され、所定のホッピングシーケンスに従って搬送周波数を周波数ホッピングし、前記周波数ホッピングした搬送周波数を用いて外部無線通信を行う外部無線通信部と、
前記第２筐体部に搭載された表示部と、
前記第１筐体部に搭載された第１の内部無線通信用アンテナと、
前記第２筐体部に搭載された第２の内部無線通信用アンテナと、
前記第１筐体部に搭載され、前記外部無線通信部にて行われる周波数ホッピングに送信用周波数を追従させて内部無線通信を行う第１の内部無線通信部と、
前記第２筐体部に搭載され、前記外部無線通信部にて行われる周波数ホッピングに送信用周波数を追従させて内部無線通信を行う第２の内部無線通信部と、
前記外部無線通信部における周波数ホッピングに関する情報を前記第１および第２の内部無線通信部の双方に有線にて供給する有線部とを有することを特徴とする無線通信端末。
【請求項７】
他の無線通信で使用されるホッピング周波数に送信用周波数および検波用周波数を追従させて内部無線通信の制御を行う内部無線通信制御方法において、
前記他の無線通信で使用されるホッピング周波数に関する情報が有線にて送られることを特徴とする内部無線通信制御方法。
【手続補正２】
【補正対象書類名】明細書
【補正対象項目名】０００９
【補正方法】変更
【補正の内容】
【０００９】
上述した課題を解決するために、本発明の一態様に係る無線通信端末によれば、所定のホッピングシーケンスに従って搬送周波数を周波数ホッピングし、前記周波数ホッピングした搬送周波数を用いて無線通信を行う無線通信部と、前記無線通信部にて行われる周波数ホッピングに送信用周波数を追従させて無線送信を行う無線送信部と、前記無線通信部にて行われる周波数ホッピングに検波用周波数を追従させて無線受信を行う無線受信部と、前記無線通信部における周波数ホッピングに関する情報を前記無線送信部および前記無線受信部の双方に有線にて供給する有線部とを有することを特徴とする。
【手続補正３】
【補正対象書類名】明細書
【補正対象項目名】００１８
【補正方法】変更
【補正の内容】
【００１８】
また、本発明の一態様に係る無線通信端末によれば、第１筐体部と、第２筐体部と、前記第１筐体部と前記第２筐体部との間の位置関係を変えられるように前記第１筐体部と前記第２筐体部とを連結する連結部と、前記第１筐体部または前記第２筐体部に搭載された外部無線通信用アンテナと、前記第１筐体部に搭載され、所定のホッピングシーケンスに従って搬送周波数を周波数ホッピングし、前記周波数ホッピングした搬送周波数を用いて外部無線通信を行う外部無線通信部と、前記第２筐体部に搭載された表示部と、前記第１筐体部に搭載された第１の内部無線通信用アンテナと、前記第２筐体部に搭載された第２の内部無線通信用アンテナと、前記第１筐体部に搭載され、前記外部無線通信部にて行われる周波数ホッピングに送信用周波数を追従させて内部無線通信を行う第１の内部無線通信部と、前記第２筐体部に搭載され、前記外部無線通信部にて行われる周波数ホッピングに送信用周波数を追従させて内部無線通信を行う第２の内部無線通信部と、前記外部無線通信部における周波数ホッピングに関する情報を前記第１および第２の内部無線通信部の双方に有線にて供給する有線部とを有することを特徴とする。
【手続補正４】
【補正対象書類名】明細書
【補正対象項目名】００２０
【補正方法】変更
【補正の内容】
【００２０】
また、本発明の一態様に係る内部無線通信制御方法によれば、他の無線通信で使用されるホッピング周波数に送信用周波数および検波用周波数を追従させて内部無線通信の制御を行う内部無線通信制御方法において、前記他の無線通信で使用されるホッピング周波数に関する情報が有線にて送られることを特徴とする。
これにより、他の無線通信と内部無線通信との周波数偏差を一定に保つことが可能となり、他の通信を見かけ上単なる狭帯域通信と見なすことができる。このため、内部無線通信の阻止域幅を低減することが可能となり、広帯域通信に対応しつつ、急峻な阻止域特性を得ることができる。